(57)【要約】【課題】所定幅及び厚みの板材を複数枚重ね合わせた木材自体の強度を向上させることができる木造建築物を提供する。【解決手段】所定幅及び厚みの板材ａ、ｂを複数枚重ね合わせた木材Ｔを使用して成る木造建築物において、板材ａ、ｂを重ね合わせて成る木材Ｔの所定部位を周方向に亘って巻回して成る例えば金属製板材から成る補強部材３が配設され、木材Ｔ自体の強度向上と共に木造建築物全体の強度向上を図ることができるものである。【選択図】図２
0003143927.tif 000002
【実用新案登録請求の範囲】
【請求項１】
所定幅及び厚みの板材を複数枚重ね合わせた木材を使用して成る木造建築物において、
前記板材を重ね合わせて成る木材の所定部位を全周に亘って巻回して成る補強部材が配設されたことを特徴とする木造建築物。
【請求項２】
前記補強部材は、木材の所定部位に全周に亘って巻回される金属製板材から成ることを特徴とする請求項１記載の木造建築物。
【請求項３】
前記木材は、梁、根太又は柱であることを特徴とする請求項１又は請求項２記載の木造建築物。
【請求項４】
前記補強部材は、前記木材における巻回すべき所定部位の断面形状に倣って形成されたことを特徴とする請求項１〜３の何れか１つに記載の木造建築物。
【考案の詳細な説明】
【技術分野】
【０００１】
本考案は、所定幅及び厚みの板材を複数枚重ね合わせた木材を使用して成る木造建築物に関するものである。
【背景技術】
【０００２】
住宅等の木造建築物は、２インチの厚み且つ４インチの幅の板材を重ね合わせた木材を梁や根太或いは柱として使う所謂ツーバイフォー（２×４）工法にて建築されることが普及している。一方、近時において、耐震性向上を図るべく金属製の補強材を接続具として用い、強度を向上する技術が種々提案されるに至っている。尚、かかる先行技術は、文献公知考案に係るものでないため、記載すべき先行技術文献情報はない。
【考案の開示】
【考案が解決しようとする課題】
【０００３】
しかしながら、上記従来の木造建築物においては、耐震性向上のための接続具が種々提案されているものの、所定幅及び厚みの板材を複数枚重ね合わせて成る木材自体の強度を向上させるものについては一切提案がなされていないのが実情である。即ち、板材を複数枚重ね合わせて成る木材においては、例えば各板材を釘により単に打ち付けるものであったので、木材を構成する板材が互いに離間する方向の負荷がかかった場合、釘による接続のみでは強度が足りない虞があった。
【０００４】
また、上記の如き所定幅及び厚みの板材を複数枚重ね合わせて成る木材をある程度予め組み付けておき（床枠組や小屋枠組等の枠組）、建築現場にてその枠組を取り付けることで工期の短縮を図ることが近時において行われているが、枠組を構成する木材（所定幅及び厚みの板材を複数枚重ね合わせて成る木材）の強度が足りない場合、建築現場までの搬送過程で各板材の重ね合わせが崩れたりして破損してしまう虞があった。
【０００５】
本考案は、このような事情に鑑みてなされたもので、所定幅及び厚みの板材を複数枚重ね合わせた木材自体の強度を向上させることができる木造建築物を提供することにある。
【課題を解決するための手段】
【０００６】
係る目的を達成すべく、本考案のうち請求項１に記載の考案は、所定幅及び厚みの板材を複数枚重ね合わせた木材を使用して成る木造建築物において、前記板材を重ね合わせて成る木材の所定部位を全周に亘って巻回して成る補強部材が配設されたことを特徴とする。
【０００７】
請求項２に記載の考案は、請求項１記載の木造建築物において、前記補強部材は、木材の所定部位に全周に亘って巻回される金属製板材から成ることを特徴とする。
【０００８】
請求項３に記載の考案は、請求項１又は請求項２記載の木造建築物において、前記木材は、梁、根太又は柱であることを特徴とする。
【０００９】
請求項４に記載の考案は、請求項１〜３の何れか１つに記載の木造建築物において、前記補強部材は、前記木材における巻回すべき所定部位の断面形状に倣って形成されたことを特徴とする。
【考案の効果】
【００１０】
請求項１の考案によれば、板材を重ね合わせて成る木材の所定部位を全周に亘って巻回して成る補強部材が配設されたので、所定幅及び厚みの板材を複数枚重ね合わせた木材自体の強度を向上させることができる。
【００１１】
請求項２の考案によれば、補強部材は、木材の所定部位に全周に亘って巻回される金属製板材から成るので、汎用材料で強度の高い補強部材を製造することができ、製造コストを抑えることができる。
【００１２】
請求項３の考案によれば、木材は、梁、根太又は柱であるので、補強部材によって木造建築物で使用される当該梁、根太又は柱を補強することができる。
【００１３】
請求項４の考案によれば、補強部材は、前記木材における巻回すべき所定部位の断面形状に倣って形成されたので、断面が種々形状を成す木材における任意部位の補強を図ることができる。
【考案を実施するための最良の形態】
【００１４】
以下、本考案の実施形態について図面を参照しながら具体的に説明する。
本実施形態に係る木造建築物は、２インチの厚み且つ４インチの幅の板材を重ね合わせた木材を梁や根太或いは柱として使う所謂ツーバイフォー（２×４）工法にて建築されるものであり、図１に示すように、例えば２階の床構造体における床梁１や根太２として２枚の板材を重ね合わせた木材が使用されるものである。
【００１５】
本実施形態においては、図２に示すように、２枚の板材ａ、ｂを重ね合わせて成る木材Ｔ（床梁１や根太２等）の任意部位（所定部位）を補強すべく、当該所定部位を全周に亘って巻回して成る補強部材３が配設されている。かかる補強部材３は、木材Ｔの所定部位に全周に亘って巻回（或いは捲回）される金属製板材から成るもので、図３に示すように、所定部位における両側面Ｔ１、Ｔ２及び上面Ｔ３、下面Ｔ４に亘って四方全周に捲かれるよう構成されている。
【００１６】
尚、図３（ａ）に示すように、金属製板材を木材Ｔの所定部位に巻き、その端面を釘等で打ち付けて固定することにより補強部材３を配設してもよく、或いは上下又は左右半割形状のものを予め形成しておき、これら半割形状を合致させつつ釘等で固定させたりしてもよい。即ち、補強部材３は、木材Ｔの所定部位において四方（全周に亘って）巻回されていれば足りるのである。
【００１７】
上記補強部材３は、例えば床梁１の途中（根太２等と接続されない箇所）や根太２の途中（床梁１等と接続されない箇所）における任意位置（所定間隔をおいた複数箇所であるのが好ましい）に配設され、当該床梁１や根太２等の強度を向上し、ひいては木造建築物全体の強度向上を図ることができるようになっている。即ち、板材ａ、ｂを重ね合わせて成る木材Ｔの所定部位を全周に亘って巻回して成る補強部材３が配設されたので、所定幅及び厚みの板材ａ、ｂを複数枚重ね合わせた木材Ｔ自体の強度を向上させることができる。
【００１８】
また、図４、５に示すように、例えば床板の厚み寸法だけ突出させて当該床板の側面を受けるスペーサＳを有する根太２（建築物の端部に位置する木材Ｔ）に対し、その途中に補強部材４を配設したものであってもよい。この場合の補強部材４は、スペーサＳの突出形状を考慮し、図５（ａ）に示すように、根太２（木材Ｔ）における全周に亘って巻回すべき所定部位（床梁１等と接続されない箇所）の断面形状に倣って形成されている。具体的には、補強部材４は、木材Ｔの所定部位における両側面Ｔ１、Ｔ２及び第１上面Ｔ３ａ、段面Ｔ３ｂ、第２上面Ｔ３ｃ、下面Ｔ４に亘って四方全周に捲かれるよう構成されている。スペーサＳは、板材ａと一体的に形成されたものであっても、或いは別体のものであってもよい。このように、補強部材４は、木材Ｔにおける全周に亘って巻回すべき所定部位の断面形状に倣って形成されたので、断面が種々形状を成す木材Ｔにおける任意部位の補強を図ることができる。
【００１９】
また、図６、７に示すように、例えば床板１や根太２を成す木材Ｔ１とＴ２との隅部（角部）に対し、補強部材５を配設したものであってもよい。この場合の補強部材５は、隅部（角部）の全体形状に倣って略Ｌ字状に形成されたもので、木材Ｔ１をその全周に亘って巻回して成る面５ａ〜５ｄ、木材Ｔ２をその全周に亘って巻回して成る面５ｅ〜５ｈを有して成る。このように、補強部材５は、隅部（角部）の形状に倣って全体が略Ｌ字状に形成されたので、当該隅部（角部）における補強を図ることができる。尚、図６、７においては、木造建築物の出っ張った隅部（出隅）において補強部材５を配設したものを示しているが、図８、９に示すように、木造建築物の引っ込んだ隅部（入隅）においても同様の補強部材５にて補強を図ることができる。
【００２０】
更に、図１０、１１に示すように、例えば床板１や根太２を成す木材Ｔ１とＴ２との隅部（角部）であって、各木材Ｔ１、Ｔ２が図４、５で示す如きスペーサＳが形成されたものに対し、補強部材６を配設したものであってもよい。この場合の補強部材６は、隅部（角部）の全体形状及びスペーサＳの突出形状に倣って段面を有した略Ｌ字状に形成されたもので、木材Ｔ１をその全周に亘って巻回して成る面６ａ、６ｂ、６ｃａ、６ｃｂ（段面）、６ｃｃ、６ｄ、木材Ｔ２をその全周に亘って巻回して成る面６ｅ、６ｆ、６ｇａ、６ｇｂ（段面）、６ｃ、６ｈを有して成る。このように、補強部材６は、隅部（角部）の形状及びスペーサＳの突出形状に倣って全体が略Ｌ字状に形成されたので、当該隅部（角部）における補強を図ることができる。尚、図１０、１１においては、木造建築物の出っ張った隅部（出隅）において補強部材６を配設したものを示しているが、図１２、１３に示すように、木造建築物の引っ込んだ隅部（入隅）においても同様の補強部材６にて補強を図ることができる。
【００２１】
また更に、図１４、１５に示すように、例えば木材Ｔ３とＴ４との接続部（Ｔ字状の接続部）に対し、補強部材７を配設したものであってもよい。この場合の補強部材７は、木材Ｔ３とＴ４の各延設方向に向かって延設された全体形状が略Ｔ字状に形成されたもので、木材Ｔ３をその全周に亘って巻回して成る面７ａ〜７ｄに加え、面７ａにおいて木材Ｔ４をその全周に亘って巻回し得る面７ａａ〜７ａｄを有して成る。このように、補強部材７は、木材Ｔ４を接続しつつ全周に亘って巻回し得る部位が形成されているので、木材Ｔ３に加え接続される木材Ｔ４の補強も図ることができる。尚、図１４、１５においては、一方の面７ａにのみ木材Ｔ４の接続部位が形成されているが、図１６、１７に示すように、面７ａに加え面７ｂにも他の木材Ｔ５を接続しつつ全周に亘って巻回する部位を形成してもよい。
【００２２】
また、図１８、１９に示すように、例えば木材Ｔ３とＴ４との接続部（Ｔ字状の接続部）であって、各木材Ｔ３、Ｔ４が図４、５で示す如きスペーサＳが形成されたものに対し、補強部材８を配設したものであってもよい。この場合の補強部材８は、木材Ｔ３とＴ４の各延設方向に向かって延設され且つスペーサＳの突出形状に倣って段面を有した全体形状が略Ｔ字状に形成されたもので、木材Ｔ１をその全周に亘って巻回して成る面８ａ、８ｂ、８ｃａ、８ｃｂ（段面）、８ｃｃ、８ｄに加え、面８ａにおいて木材Ｔ４をその全周に亘って巻回して成る面８ａａ〜８ａｈを有して成る。このように、補強部材８は、木材Ｔ４を接続しつつ全周に亘って巻回し得る部位が形成されているので、木材Ｔ３に加え接続される木材Ｔ４の補強も図ることができる。尚、図１８、１９においては、一方の面８ａにのみ木材Ｔ４の接続部位が形成されているが、図２０、２１に示すように、面８ａに加え面８ｂにも他の木材Ｔ５を接続しつつ全周に亘って巻回する部位を形成してもよい。
【００２３】
上記実施形態によれば、板材ａ、ｂを重ね合わせて成る木材Ｔの所定部位をその全周に亘って巻回して成る補強部材３〜８が配設されたので、所定幅及び厚みの板材ａ、ｂを複数枚重ね合わせた木材Ｔ自体の強度を向上させることができる。また、補強部材３〜８は、木材Ｔの所定部位に全周に亘って巻回される金属製板材から成るので、汎用材料で強度の高い補強部材３〜８を製造することができ、製造コストを抑えることができる。
【００２４】
特に、補強部材４、６、８によれば、木材Ｔにおける全周に亘って巻回すべき所定部位の断面形状に倣って形成（スペーサＳの突出形状に対しても倣った形状）されたので、断面が種々形状を成す木材Ｔにおける任意部位の補強を図ることができる。更に、補強部材４、６、８によれば、以下の如き効果を奏することができる。即ち、スペーサＳの如き突出部に床材等の側面を突き当てる形態については、当該床材からスペーサＳに付与される負荷により重ね合わせた複数の板材が互いに離間する方向に荷重がかかり易くなっているのであるが、本補強部材４、６、８の如く当該スペーサＳの形状に倣った形状としたもので補強することにより、当該床材等から比較的高い荷重が付与されたとしても複数の板材の重ね合わせを維持でき床強度をより向上させることができる。
【００２５】
以上、本実施形態について説明したが、本考案はこれらに限定されず、例えば１階の床構造体における床梁や根太或いは基礎部分の構成要素、又は小屋裏の構成要素等に適用してもよい。また、木材は、所定幅及び厚みの板材を複数枚重ね合わせたものであれば足り、所謂ツーバイフォー（２×４）の規格とは異なる板材を３枚以上重ね合わせたものに本考案に係る補強部材を取り付けたものとしてもよい。
【００２６】
補強部材は、本実施形態の如く金属製板材から成るものの他、強度を向上させ得る他の材料（例えばガラス繊維や炭素繊維で強度が向上されたシート材等）から成るものとしてもよい。更に、本実施形態においては、補強部材にて補強される対象が梁、根太のみであるが、板材を重ね合わせて成る木材を柱として用い、その柱を本考案に係る補強部材にて補強するよう構成してもよい。而して、補強部材によって木造建築物で使用される当該梁、根太又は柱を補強することができる。
【産業上の利用可能性】
【００２７】
板材を重ね合わせて成る木材の所定部位を全周に亘って巻回して成る補強部材が配設された木造建築物であれば、他の機能が付加されたもの等にも適用することができる。
【図面の簡単な説明】
【００２８】
【図１】本考案の実施形態に係る木造建築物における２階の床構造を示す模式図
【図２】同木造建築物で使用される補強部材（３）を示す斜視図
【図３】同木造建築物で使用される補強部材（３）の模式図であって、（ａ）正面図（ｂ）側面図（ｃ）上面図
【図４】同木造建築物で使用される補強部材（４）を示す斜視図
【図５】同木造建築物で使用される補強部材（４）の模式図であって、（ａ）正面図（ｂ）側面図（ｃ）上面図
【図６】同木造建築物で使用される補強部材（５）（出隅）を示す斜視図
【図７】同木造建築物で使用される補強部材（５）（出隅）の模式図であって、（ａ）正面図（ｂ）上面図
【図８】同木造建築物で使用される補強部材（５）（入隅）を示す斜視図
【図９】同木造建築物で使用される補強部材（５）（入隅）の模式図であって、（ａ）正面図（ｂ）上面図
【図１０】同木造建築物で使用される補強部材（６）（出隅）を示す斜視図
【図１１】同木造建築物で使用される補強部材（６）（出隅）の模式図であって、（ａ）正面図（ｂ）上面図
【図１２】同木造建築物で使用される補強部材（６）（入隅）を示す斜視図
【図１３】同木造建築物で使用される補強部材（６）（入隅）の模式図であって、（ａ）正面図（ｂ）上面図
【図１４】同木造建築物で使用される補強部材（７）（片面接続）を示す斜視図
【図１５】同木造建築物で使用される補強部材（７）（片面接続）の模式図であって、（ａ）側面図（ｂ）上面図
【図１６】同木造建築物で使用される補強部材（７）（両面接続）を示す斜視図
【図１７】同木造建築物で使用される補強部材（７）（両面接続）の模式図であって、（ａ）側面図（ｂ）上面図
【図１８】同木造建築物で使用される補強部材（８）（片面接続）を示す斜視図
【図１９】同木造建築物で使用される補強部材（８）（片面接続）の模式図であって、（ａ）側面図（ｂ）上面図
【図２０】同木造建築物で使用される補強部材（８）（両面接続）を示す斜視図
【図２１】同木造建築物で使用される補強部材（８）（両面接続）の模式図であって、（ａ）側面図（ｂ）上面図
【符号の説明】
【００２９】
１    床梁
２    根太
３〜８    補強部材
Ｔ、Ｔ１〜Ｔ５  木材
ａ、ｂ  板材
Ｓ    スペーサ
【図１】
0003143927.tif 000003
【図２】
0003143927.tif 000004
【図３】
0003143927.tif 000005
【図４】
0003143927.tif 000006
【図５】
0003143927.tif 000007
【図６】
0003143927.tif 000008
【図７】
0003143927.tif 000009
【図８】
0003143927.tif 000010
【図９】
0003143927.tif 000011
【図１０】
0003143927.tif 000012
【図１１】
0003143927.tif 000013
【図１２】
0003143927.tif 000014
【図１３】
0003143927.tif 000015
【図１４】
0003143927.tif 000016
【図１５】
0003143927.tif 000017
【図１６】
0003143927.tif 000018
【図１７】
0003143927.tif 000019
【図１８】
0003143927.tif 000020
【図１９】
0003143927.tif 000021
【図２０】
0003143927.tif 000022
【図２１】
0003143927.tif 000023